(57)【要約】【課題】日常の操作取扱いが簡便であり、防犯性能が高い自動販売機等の補助ロック装置を提供する。【解決手段】筐体１の側面壁２に固着されるサポート金具３と；扉４の側面壁５に固着されるホルダ金具６と；側面壁２に沿って配置される第１棒部分７ａと、扉４の正面壁８に沿って配置される第２棒部分７ｂとからなり、第１棒部分７ａの基端部がサポート金具３に回転可能かつ前方に抜取り不能に嵌着され、第１棒部分７ａの先端部分がホルダ金具６の側面溝部１０に出没可能に嵌合され、扉用ロックハンドル装置１１側の被係合部１４と係脱する係合部１５を、第２棒部分７ｂに設けてあるロック棒７とからなる。ホルダ金具６に内蔵された錠前ユニット１６の施錠ロータ１７にラッチ棒１８を連動装備し、ロック棒７の受孔１９にラッチ棒１８を係合させる。【選択図】図１
2006045865.tif 000002
【特許請求の範囲】
【請求項１】
自動販売機等の筐体１の側面壁２に固着されるサポート金具３と；自動販売機等の扉４の側面壁５に固着されるホルダ金具６と；筐体１の側面壁２に沿って配置される第１棒部分７ａと、扉４の正面壁８に沿って配置される第２棒部分７ｂとからなり、第１棒部分７ａの基端部が前記サポート金具３の軸孔９に回転可能かつ前方に抜取り不能に嵌着され、第１棒部分７ａの先端部分が前記ホルダ金具６の側面溝部１０に出没可能に嵌合され、扉４の正面壁８に固着した扉用ロックハンドル装置１１のケース本体１２または操作ハンドル１３に設けてある被係合部１４と係脱する係合部１５を、第２棒部分７ｂの先端部背面に設けてあるロック棒７とからなり、
前記ホルダ金具６に内蔵された錠前ユニット１６の施錠ロータ１７にラッチ棒１８を連動装備し、施錠ロータ１７の回転操作によってロック棒７の受孔１９にラッチ棒１８を係合させて、ロック棒７を前記ホルダ金具６に対して回転不能に拘束するようにした自動販売機等の補助ロック装置。
【発明の詳細な説明】
【技術分野】
【０００１】
本発明は、自動販売機や駐車料金精算機等といった金銭や商品を取り扱う機器の扉を盗犯者の不法な開放から防護する補助ロック装置に関するものである。
【背景技術】
【０００２】
自動販売機では、扉の正面壁に扉用ロックハンドル装置を埋め込み固着し、操作ハンドルの軸筒部に組み込んだ錠前ユニットの施錠ロータを回転操作することによって、内部施錠機構を解錠方向に動作させ、操作ハンドルをケース本体から扉の前方に突出させ、この突出した操作ハンドルを回すことによって、自動販売機の筐体に対する扉の錠止を解除させている（例えば特許文献１参照）。
突出した操作ハンドルを手前に引くと、前記扉用ロックハンドル装置とは反対側のエッジ部に装着してある蝶番軸を中心に、扉が開放回転させられる。
【０００３】
このような扉用ロックハンドル装置が採用されている自動販売機における盗犯者の手口は、操作ハンドルの前記錠前ユニットに対するピッキング用具による不正解錠から次第にエスカレートし、今日では電動ドリルやバールなどの工具で錠前ユニットを暴力的に破壊するなど粗暴化の傾向にある。
【０００４】
最終的には錠前ユニットなどの防護手段が暴力破壊されるとしても、破壊工作に着手してから全ての防護手段の破壊完了に至るまでの所要時間が長ければ、その間に発見される危険性が増大するため、盗犯者はある程度時間がかかると、途中で諦めて現場を立ち去る性向を有している。
【０００５】
そのため、不正解錠や暴力破壊といったロック破りの所要時間を長くするために、本来の扉用ロックハンドル装置に追加して、種々の補助ロック装置を装着してトータルとしての防護性能を高めることが行なわれている（例えば特許文献２、特許文献３、特許文献４参照）。
【０００６】
しかしながら、盗犯防止といっても補助ロック装置の付加によって、商品補給や売上金回収担当者が扉を開けるときの操作取扱いを煩雑化することは、出来るだけ避けなければならない。
【０００７】
【特許文献１】特開平１０−４６８８０号公報
【特許文献２】特許第３５０７０５３号公報
【特許文献３】特許第３０５４３９０号公報
【特許文献４】特許第３１８２１３３号公報
【特許文献５】特許第３５０７０５３号公報
【発明の開示】
【発明が解決しようとする課題】
【０００８】
本発明の課題は、日常の操作取扱いが簡便になされるとともに、ロック破りの所要時間が長くなるため防犯性能が高い自動販売機等の補助ロック装置を提供することである。
【課題を解決するための手段】
【０００９】
添付図面中の参照符号を用いて説明すると、本発明の主たる特徴は、自動販売機等の筐体１の側面壁２に固着されるサポート金具３と；自動販売機等の扉４の側面壁５に固着されるホルダ金具６と；筐体１の側面壁２に沿って配置される第１棒部分７ａと、扉４の正面壁８に沿って配置される第２棒部分７ｂとからなり、第１棒部分７ａの基端部が前記サポート金具３の軸孔９に回転可能かつ前方に抜取り不能に嵌着され、第１棒部分７ａの先端部分が前記ホルダ金具６の側面溝部１０に出没可能に嵌合され、扉４の正面壁８に固着した扉用ロックハンドル装置１１のケース本体１２または操作ハンドル１３に設けてある被係合部１４と係脱する係合部１５を、第２棒部分７ｂの先端部背面に設けてあるロック棒７とからなり、
前記ホルダ金具６に内蔵された錠前ユニット１６の施錠ロータ１７にラッチ棒１８を連動装備し、施錠ロータ１７の回転操作によってロック棒７の受孔１９にラッチ棒１８を係合させて、ロック棒７を前記ホルダ金具６に対して回転不能に拘束することである。
【発明の効果】
【００１０】
本発明の補助ロック装置では、扉４の閉鎖施錠状態では、ロック棒７はサポート金具３の軸孔９を中心に扉４に向かって回転させられ、第２棒部分７ｂが扉ロックハンドル装置１１の操作ハンドル１３の正面に沿って配置される。この位置では、第２棒部分７ｂの先端部分が、操作ハンドル１３の軸筒部２０の錠前ユニット２１をその背後にほぼ隠蔽するため、盗犯者はピッキング用具による錠前ユニット２１の不正解錠や電動ドリルなどの工具による錠前ユニットの暴力破壊に着手することができない。
【００１１】
ピッキング用具や電動ドリルを使用可能するには、図５に示したようにロック棒７を前記軸孔９を中心に扉４とは反対向きに退避回転させる必要があるが、扉４の閉鎖施錠状態では、ロック棒７の第１棒部分７ａの先端部分がホルダ金具６の側面溝部１０に入り込んでおり、かつ、第１棒部分７ａの受孔１９にラッチ棒１８が係合しているため、錠前ユニット１６に適合した鍵を所持しない盗犯者には、ロック棒７の回転操作は不可能である。この錠前ユニット１６に対してピッキング用具による不正解錠を試みるときには、それだけ余分な時間がかかることになる。
【００１２】
ロック棒７の第２棒部分７ｂを扉４の前方に無理やり引き出して第２棒部分７ｂと操作ハンドル１３との間にピッキング用具などの操作用空間を作り出そうとしても、第１棒部分７ａの基端部がサポート金具３によって前方移動を阻止されており、かつ、扉用ロックハンドル装置１１のケース本体１２または操作ハンドル１３に設けた被係合部１４と第２棒部分７ｂの係合部１５が係合しているため、そのような盗犯者の努力は徒労に終ることになる。
【００１３】
このように本発明の補助ロック装置では、二重三重の防止手段が講じられているため、全ての防止手段を無効化するまでの所要時間が従来装置と比べて長くなり、防犯性能が一段と向上する。
【００１４】
錠前ユニット１６に適合した鍵を所持する正当権限者であれば、その鍵によって錠前ユニット１６の施錠ロータ１７を所定方向に所定量だけ回転操作することによって、ラッチ棒１８をロック棒７の受孔１９から脱出させ、その後、軸孔９を中心にロック棒７の第２棒部分７ｂを退避回転させることができる。この退避状態において、扉用ロックハンドル装置１１とは反対側にある蝶番軸（図示していない）を中心に扉４を開放回転させると、回転の当初段階で見掛け上、ロック棒７の第１棒部分７ａがホルダ金具６の側面溝部１０から脱出する。
【００１５】
このような操作手順をとるため、本発明の補助ロック装置を付加しても、日常の操作取扱いが徒に煩雑化することがない。
【発明を実施するための最良の形態】
【００１６】
サポート金具３、ホルダ金具６、ロック棒７、ラッチ棒１８といった構成部品、いずれも金属材料で製作し、盗犯者による打撃や捩じ曲げなどの攻撃に対して強固にする。
【実施例】
【００１７】
図示の実施例では、サポート金具３は、筐体１の側面壁２に突き当てられ、筐体１の内側からビス２２によって側面壁２に締付け固着されている。サポート金具３の正面側から軸孔９に嵌挿されたロック棒７の第１棒部分７ａの基端部側面には、サポート金具３の底面割溝部２３を通してビス２４が捻じ込まれており、ビス２４の頭部はロック棒７の抜取り防止部材として機能している。
【００１８】
図３に示したようにサポート金具３の背面には、ビス２４の頭部と協働してロック棒７の回転角度を１８０度に規制する規制溝２５が、略半円形状に形成されている。この規制溝２５には蓋板２６が被せられ、ビス２７によってサポート金具３に締付け固定されている。
【００１９】
ホルダ金具６は、扉４の側面壁５に突き当てられ、扉４の内側からビス２８によって側面壁５に締付け固着されている。シリンダ錠よりなる錠前ユニット１６は、ホルダ金具６の下面側に埋め込み固着されており、錠前ユニット１６の施錠ロータ１７には、螺旋状カム溝３０を周面に形成したカム筒２９が嵌め込み連結されている。ラッチ棒１８の下端部側面に固着した受動ピン３１は、前記螺旋状カム溝３０に挿入されている。
適合する鍵を施錠ロータ１７に挿入し、施錠ロータ１７を正逆回転させることによって、ラッチ棒１８は上下方向に進退し、ロック棒７の受孔１９に係脱する。施錠ロータ１７とラッチ棒１８間の連動機構としては、上記カム機構以外の他の公知構成も使用できる。
【００２０】
図１に示したようにロック棒７の第２棒部分７ｂの先端側部分の背面部は、軸線に沿って平坦面に削除されており、この削除部３２に嵌め込まれたロック板３３はビス３４によってロック棒７に締付け固着されている。前記係合部１５は図４に示したようにロック板３３に溝状に下向きに形成されており、扉用ロックハンドル装置１１の装着位置の一定範囲内の変更に対して調整機能を有している。本実施例では、扉用ロックハンドル装置１１は横長配置に装着されている。
【００２１】
扉用ロックハンドル装置１１側に設けられる被係合部１４は、単体のフック金具３５の先端フック部によって構成されている。このフック金具３５は、扉用ロックハンドル装置１１のケース本体１２の背面壁部分に、ビス３６によって締付け固着されている。
この上向きフック状の被係合部１４は、操作ハンドル１３の握り部に形成した窓孔３７から前方に突出している。
【００２２】
なお、被係合部１４は図１３に示したように、ケース本体１２または操作ハンドル１３それ自体に一体成形したり、別体に製作したものをケース本体１２または操作ハンドル１３に固着することもできる。また、図１１に示したように、ロック棒７の第１棒部分７ａにビス２４の捻じ込み用螺子孔３８を複数個設け、扉４の厚さに対する調整機能を持たせることもできる。別体に製作したフック金具３５をケース本体１２に固着する方式では、既存の扉用ロックハンドル装置１１の一部を改変（操作ハンドル１３に対する窓孔３７の形成）するだけで対応することができ、コスト的に有利である。
【００２３】
図１２に示したように扉用ロックハンドル装置１１が縦長配置に使用される場合には、フック金具３５の正面形状において、被係合部１４の配置角度は、前記実施例におけるものより９０度転回したものとなる。
【００２４】
扉用ロックハンドル装置１１の主要構成は公知のものと同様であり、本体ケース１２の軸受筒部４０に内筒４１を回転可能かつ前後に移動不能に装着し、内筒４１の後面に止め金板４２を固着し、内筒４１内に回転不能かつ前後に摺動可能に操作ハンドル１３の軸筒部２０を嵌挿し、軸筒部２０をバネ４３によって突出方向に移動付勢し、軸筒部２０に錠前ユニット２１を嵌め込み固着し、軸筒部２０を内筒４１に対し錠止する錠止機構４４を錠前ユニット２１のロータ４５に連動させてある。
【００２５】
軸筒部２０の中間部内周面に肉厚なガード鍔部４６を全周にわたって設け、ガード鍔部４６の後面側にロータ４５の回転範囲を規制する角度規制突起を設け、角度規制突起に接離する肉厚な角度規制円盤４７をロータ４５の角軸部４５ａに嵌め、角度規制円盤４７の周縁部をガード鍔部４６の後面に当接させ、ロータ４５の螺子軸部４５ｂに螺合した固着用ナット４８を角度規制円盤４７の後面に当接させてある。
【００２６】
ロータ４５の回転角度は９０度に規制されている。ロータ４５の螺子軸部４５ｂは小判形断面に形成され、軸筒部２０の錠止機構４４へのジョイント部材４８が一体回転するように嵌められている。錠前ユニット２１の胴部には固定リング４９が螺合固定され、操作ハンドル１３の軸筒部２０の２個の側面開口５４からＵ字形係止金具５０の二股の脚部５１が嵌挿され、脚部５１の２条の内面突起５２２を固定リング４９の２条の外面溝５３に係合させてある。
【図面の簡単な説明】
【００２７】
【図１】本発明の一実施例に係る補助ロック装置を装着した自動販売機の要部平面図であり、扉は閉鎖施錠状態にある。
【図２】図１の自動販売機の要部正面図である。
【図３】図１のＡ−Ａ線断面図である。
【図４】図２のＢ−Ｂ線断面図である。
【図５】図１の自動販売機の要部正面図であり、ロック棒は退避位置に回転した状態にある。
【図６】図１の実施例で使用された扉用ロックハンドル装置の正面図である。
【図７】図６の扉用ロックハンドル装置の平面図である。
【図８】図６の扉用ロックハンドル装置の背面図である。
【図９】図６のＣ−Ｃ線断面図である。
【図１０】図１の補助ロック装置におけるホルダ金具の縦断面図である。
【図１１】本発明の別の実施例におけるロック棒とサポート金具の水平断面図である。
【図１２】本発明の更に別の実施例における扉用ロックハンドル装置の正面図である。
【図１３】本発明の他の実施例における扉用ロックハンドル装置の水平断面図である。
【符号の説明】
【００２８】
１  筐体
２  筐体の側面壁
３  サポート金具
４  扉
５  扉の側面壁
６  ホルダ金具
７  ロック棒
８  扉の正面壁
９  サポート金具の軸孔
１０  ホルダ金具の側面溝部
１１  扉用ロックハンドル装置
１２  ケース本体
１３  操作ハンドル
１４  被係合部
１５  係合部
１６  錠前ユニット
１７  施錠ロータ
１８  ラッチ棒
１９  ロック棒の受孔
【図１】
2006045865.tif 000003
【図２】
2006045865.tif 000004
【図３】
2006045865.tif 000005
【図４】
2006045865.tif 000006
【図５】
2006045865.tif 000007
【図６】
2006045865.tif 000008
【図７】
2006045865.tif 000009
【図８】
2006045865.tif 000010
【図９】
2006045865.tif 000011
【図１０】
2006045865.tif 000012
【図１１】
2006045865.tif 000013
【図１２】
2006045865.tif 000014
【図１３】
2006045865.tif 000015